(57)【要約】【課題】  シャープペンシルの芯を補充する際に、消しゴムキャップや消しゴムホルダーを取り外す必要をなくし、これらの紛失を防止するとともに、ワンタッチで簡単に芯の補充を行えるようにする。【解決手段】  シャープペンシル１の軸本体２の外側面３上に、芯挿入用開口１２と、蓋部１３とからなる芯挿入部４を設ける。【選択図】        図３
2005231148.tif 000002
【特許請求の範囲】
【請求項１】
軸本体の外側面上に、開閉可能とした芯挿入部を設けたことを特徴とするシャープペンシル。
【請求項２】
前記芯挿入部を、軸本体の外側面上に設けた芯挿入用開口と、軸本体の軸線と直交する軸回りに回動して前記芯挿入用開口を開閉する蓋部とより形成し、かつ前記蓋部を、前記芯挿入用開口を閉じる向きにばねによって付勢したことを特徴とする請求項１記載のシャープペンシル。
【請求項３】
クリップを、前記蓋部の回動軸と同じ軸回りに回動し得るように軸本体に取り付けるとともに、蓋部を付勢するばねをもって、同時にクリップの前端を、軸本体の外側面上に押圧させるようにしたことを特徴とする請求項２記載のシャープペンシル。
【請求項４】
前記軸本体内に、芯挿入用開口を備える芯タンクを格納し、前記軸本体と芯タンクにおける芯挿入用開口の位置を整合させたことを特徴とする請求項２または４記載のシャープペンシル。
【請求項５】
前記軸本体を、本体筒軸と、その後部筒軸に、本体筒軸に対して相対的に回動可能に外嵌させたキャップとより形成し、前記後部筒軸とキャップにそれぞれ芯挿入用開口を設け、前記キャップを回動させることによって、前記両芯挿入用開口が整合する位置と、整合しない位置の両者に切り換え得るようにしたことを特徴とする請求項１記載のシャープペンシル。
【請求項６】
前記キャップを、キャップと後部筒軸における両芯挿入用開口が整合しない位置に切り換えた場合に、後部筒軸に対するキャップの回動を規制する手段を設けたことを特徴とする請求項５記載のシャープペンシル。
【請求項７】
前記軸本体における本体筒軸内に、芯挿入用開口を備える芯タンクを格納し、この芯タンクと、前記本体筒軸における後部筒軸における芯挿入用開口の位置を整合させたことを特徴とする請求項５または６記載のシャープペンシル。
【発明の詳細な説明】
【技術分野】
【０００１】
本発明は、シャープペンシルに関し、詳しくは、芯の補充作業を簡単に行い得るようにしたシャープペンシルに関する。
【背景技術】
【０００２】
シャープペンシルは、内部の芯タンクに複数本の芯を格納し、芯送り機構で一本ずつ芯を送出して使用し、格納した芯を使い切ると、補充するようになっている。
芯タンクの後端部は開口され、この開口内に消しゴムを保持した消しゴムホルダーが嵌入され、さらに消しゴムキャップが着脱自在に被着されている（たとえば、特許文献１）。
芯を補充する際には、先ず消しゴムキャップを取り外し、次いで消しゴムホルダーを取り外して、芯を芯タンクの後端部開口から補充している。
しかし、この補充作業は、片手でシャープペンシルの軸本体を持ち、他方の手で芯を持って行われるため、消しゴムホルダーおよび消しゴムキャップを机上等に置かなければならず、それらが転げ落ちて紛失してしまう場合がある。紛失した場合は、芯タンクの後端部開口が開放されたままとなり、そのままでは芯が飛び出す虞があり、使用困難となる。
【特許文献１】特公平６−４３５９号公報（２頁右欄１５〜１８行目、図１）
【発明の開示】
【発明が解決しようとする課題】
【０００３】
本発明は、前記の現状に鑑み、芯を補充する際に、消しゴムキャップや消しゴムホルダーを取り外す必要をなくして、これらの紛失を防止するとともに、消しゴムキャップを取り外して机上に置き、次いで、消しゴムホルダーを取り外して机上に置くという二重の手数を省き、ワンタッチで簡単に芯の補充作業を行い得るシャープペンシルを提供することを目的とする。
【課題を解決するための手段】
【０００４】
本発明によると上記課題は、次のようにして解決される。
(１)  軸本体の外側面上に、開閉可能とした芯挿入部を設ける。
【０００５】
(２)  上記(１)項において、前記芯挿入部を、軸本体の外側面上に設けた芯挿入用開口と、軸本体の軸線と直交する軸回りに回動して前記芯挿入用開口を開閉する蓋部とより形成し、かつ前記蓋部を、前記芯挿入用開口を閉じる向きにばねによって付勢する。
【０００６】
(３)  上記(２)項において、クリップを、前記蓋部の回動軸と同じ軸回りに回動し得るように軸本体に取り付けるとともに、蓋部を付勢するばねをもって、同時にクリップの前端を、軸本体の外側面上に押圧させるようにする。
【０００７】
(４)  上記(２)項または(４)項において、前記軸本体内に、芯挿入用開口を備える芯タンクを格納し、前記軸本体と芯タンクにおける芯挿入用開口の位置を整合させる。
【０００８】
(５)  上記(１)項において、前記軸本体を、本体筒軸と、その後部筒軸に、本体筒軸に対して相対的に回動可能に外嵌させたキャップとより形成し、前記後部筒軸とキャップにそれぞれ芯挿入用開口を設け、前記キャップを回動させることによって、前記両芯挿入用開口が整合する位置と、整合しない位置の両者に切り換え得るようにする。
【０００９】
(６)  上記(５)項において、前記キャップを、キャップと後部筒軸における両芯挿入用開口が整合しない位置に切り換えた場合に、後部筒軸に対するキャップの回動を規制する手段を設ける。
【００１０】
(７)  上記(５)項または(６)項において、前記軸本体における本体筒軸内に、芯挿入用開口を備える芯タンクを格納し、この芯タンクと、前記本体筒軸における後部筒軸における芯挿入用開口の位置を整合させる。
【発明の効果】
【００１１】
本発明によると、次のような効果が奏せられる。
ａ)  上記(１)項記載の発明によれば、芯挿入部が軸本体の外側面上に設けられているため、後端部の消しゴムキャップや消しゴムホルダーを取り外す必要がなく、芯を補充する際には、外側面上の芯挿入部を直接開けてワンタッチで行うことができる。
また、消しゴムキャップや消しゴムホルダーを取り外す必要がないため、これらを紛失する虞もない。
【００１２】
ｂ)  上記(２)項記載の発明によれば、蓋部が、軸本体の軸線と直交する軸回りに回動するため、芯挿入部を前記軸線方向に長く設けることができ、芯の補充作業が容易になるとともに、蓋部を閉じる向きにばねによって付勢してあるため、前記付勢力に抗した力で蓋部を開けて、芯を補充した後に、蓋部を保持している手を離すだけで蓋部が自動的に閉じられ、ワンタッチで芯の補充を行うことができる。
【００１３】
ｃ)  上記(３)項記載の発明によれば、蓋部を閉じる方向の付勢力と、クリップの前端を軸本体の外側面上に押圧させる付勢力を、１つのばねをもって付与することができる。
【００１４】
ｄ)  上記(４)項記載の発明によれば、芯タンク内に効率よく芯を補充することができる。
【００１５】
ｅ)  上記(５)項記載の発明によれば、ばねを用いることなく、少ない部品をもってシャープペンシルを構成し得るとともに、キャップを回動して、後部筒軸とキャップの芯挿入用開口を整合させて、芯を補充した後に、キャップを回動させて非整合の位置にするという簡単な操作で効率よく芯の補充を行うことができる。
消しゴムホルダー等は、取り外す必要がないため、これらを紛失する虞もない。
【００１６】
ｆ)  上記(６)項記載の発明によれば、キャップが回動して芯が外部に飛び出すことを効果的に防止することができる。
【００１７】
ｇ)  上記(７)項記載の発明によれば、芯タンク内に効率よく芯を補充することができる。
【発明を実施するための最良の形態】
【００１８】
以下、本発明を添付図面に基づいて詳細に説明する。
【実施例１】
【００１９】
図１は、本発明の第１実施形態のシャープペンシル(１)の斜視図、図２は、図１におけるシャープペンシル(２)の要部を拡大して示す分解斜視図、図３は、蓋部を開けて芯を補充する状態を示す要部拡大斜視図、図４は、図３に示すシャープペンシルの要部縦断面図、図５は、蓋部を閉じた状態を示す要部拡大斜視図である。
【００２０】
本発明のシャープペンシル(１)では、軸本体(２)の外側面(３)上に、開閉可能とした芯挿入部(４)が設けられている。
【００２１】
軸本体(２)内には、図２，図４に示すように、筒状の芯タンク(５)が格納されている。芯タンク(５)の後端(６)には、小径筒部(７)が連設されており、小径筒部(７)は、軸本体(２)の後端開口(８)から後方に突出している。
【００２２】
前記小径筒部(７)には、消しゴム(９)が取り付けられた消しゴムホルダー(10)が嵌入され、この消しゴムホルダー(10)を被覆するための消しゴムキャップ(11)が、前記小径筒部(７)に外嵌されている。
【００２３】
前記芯挿入部(４)は、軸本体(２)の外側面(３)上に設けられた芯挿入用開口(12)と、この芯挿入用開口(12)を開閉するための蓋部(13)とより構成されている。
【００２４】
芯挿入用開口(12)は、軸本体(２)の後部近傍の外側面(３)上に、平面視において軸線方向に長い四辺形に形成され、芯(14)の補充作業が行い易いようになっている。
【００２５】
図２に示すように、蓋部(13)は、前記芯挿入用開口(12)を覆うために充分な大きさを備える平面視ほぼ長方形状をなし、その後端の左右一方には、取手(13a)が設けられており、前端の左右両側には、通孔(13b)を有する１対の取付板(13c)(13c)が立設されている。
【００２６】
一方、軸本体(２)の芯挿入用開口(12)の後部における左右両側には、通孔(14a)を有する１対の支軸支持板(14)(14)が立設されている。
【００２７】
前記蓋部(13)は、前記１対の支持板(14)(14)間に配設され、支軸(15)を、軸本体(２)における支軸支持板(14)(14)の通孔(14a)(14a)、および蓋部(13)における取付板(13c)(13c)の通孔(13b)(13b)に挿通させることにより、軸本体(２)の軸線と直交する支軸(15)回りに回動して前記芯挿入用開口(12)を閉塞または開放し得るようになっている。
【００２８】
また、クリップ(16)の後端下面(16a)の左右には、通孔(17a)を有する１対の取付板(17)(17)が下向きに垂設されており、前記通孔(17a)(17a)に前記支軸(15)を挿通させて、クリップ(16)が、前記蓋部(13)とともに軸本体(２)に取り付けられている。
【００２９】
前記支軸(15)の左右方向の中央には、ばね(18)が外嵌されており、このコイルばね(18)によって、前記蓋部(13)を、芯挿入用開口(12)が閉塞する向きに常時付勢しているとともに、前記クリップ(16)を、その前端下面(16b)が軸本体(２)の外側面(３)上に押圧される向きに常時付勢している。
なお、蓋部(13)、クリップ(16)、コイルばね(18)を取り付けた後に、支軸(15)の先端をかしめて抜けることがないようにしてある。
【００３０】
また、芯タンク(５)の後部における、軸本体(２)の芯挿入用開口(12)に整合する位置には、同じく芯挿入用開口(5a)が設けられており、図３に示すように、取手(13a)を手で持って、コイルばね(18)の付勢力に抗して蓋部(13)を開けて補充した芯(19)が、円滑に芯タンク(５)内に格納されるようになっている。
【００３１】
芯(19)の補充が完了次第、取手(13a)から手を離すことにより、コイルばね(18)の付勢力により、蓋部(13)は、図５に示すように自動的に閉じられる。
なお、小径筒部(７)の前端（図４において符号７ａで示す）を、開口しておけば、芯タンク(５)内への芯(19)の補充および取り出しを芯挿入部(４)と併せて、必要に応じて、消しゴムキャップ(11)と消しゴムホルダー(10)を取り外して、芯タンク(５)の後端開口から行うこともできる。
【実施例２】
【００３２】
図６は、本発明の第２実施形態のシャープペンシル(20)の要部分解斜視図、図７は、図６に示すシャープペンシル(20)を組立てた場合の要部拡大縦断面図、図８は、図７におけるVIII〜VIII線拡大断面図であり、芯挿入部を開口した状態を示す。図９は、芯挿入部を閉塞した状態を示す図８に相当する図である。
【００３３】
シャープペンシル(20)における軸本体(21)が、本体筒軸(22)と、その後部に外嵌されるキャップ(23)とより形成されている。
【００３４】
本体筒軸(22)内には、芯タンク(24)が格納され、その後端(25)は、本体筒軸(22)の後端開口(27)及びキャップ(23)の後端開口(26)から突出し、前記後端(25)の小径筒部(28)には、第１実施形態の場合と同様に、消しゴム(29)を保持した消しゴムホルダー(30)が嵌入されるとともに、消しゴムキャップ(31)が外嵌されている。
【００３５】
本体筒軸(22)の後部は、２つの段部(32)(33)をもって、縮径され、後部筒軸(34)には、軸線方向に長い芯挿入用開口(35)が設けられている。前記２つの段部(32)(33)間は、キャップ(23)を後部筒軸(34)に外嵌させるための嵌合部(36)となっている。
【００３６】
前記嵌合部(36)は、図６，図８に示すように、周方向に設けられた段部(37)(37)をもって、一部縮径された縮径部(36a)が形成されている。
【００３７】
一方、キャップ(23)には、クリップ(38)が取り付けられているとともに、本体筒軸(22)における芯挿入用開口(35)とほぼ同じ大きさの芯挿入用開口(39)が設けられている。本実施形態における芯挿入部は、前記両芯挿入用開口(35)(39)からなる。
【００３８】
キャップ(23)の前端開口(40)の内周面には、本体筒軸(22)における嵌合部(36)と嵌合する嵌合部(41)が設けられている。
【００３９】
キャップ(23)における嵌合部(41)には、本体筒軸(22)における嵌合部(36)の縮径部(36a)に対応して、段部(42)(42)をもって内方に突出する突出部(41a)が設けられており、この突出部(41a)は、前記縮径部(36a)に嵌合している。
【００４０】
この突出部(41a)の周方向の長さ（２つの段部(42)(42)間の周方向の長さ）Ｌ１は、本体筒軸(22)における縮径部(36a)の周方向の長さ（２つの段部(37)(37)間の周方向の長さ）Ｌ２よりも短く形成されている。このためキャップ(23)を、本体筒軸(22)における後部筒軸(34)に外嵌させて、本体筒軸(22)に対して相対的に回動させた場合、（Ｌ２−Ｌ１）の長さだけ回動し得るようになっている。
【００４１】
図８は、キャップ(23)と後部筒軸(34)の両者における芯挿入用開口(39)(35)を整合させた場合を示す。
【００４２】
芯タンク(５)における芯挿入用開口(43)は、後部筒軸(34)における芯挿入用開口(35)と整合するように設けられている。したがって、図８に示す状態においては、キャップ(23)、本体筒軸(22)における後部筒軸(34)および芯タンク(24)の３者における芯挿入用開口(39)(35)(43)が整合し、外方から容易に芯を補充して芯タンク(24)内に格納することができるようになっている。
【００４３】
芯を補充した後は、キャップ(23)を、本体筒軸(22)における後部筒軸(34)に対して相対的に回動させて、図９に示す状態とすることにより、キャップ(23)と後部筒軸(34)における芯挿入用開口(39)(35)が整合しない状態となり、芯タンク(24)内に格納した芯が外部に飛び出すことが防止される。
【００４４】
図１０，図１１は、それぞれ図８，図９における破線円Ａ，Ｂ内の部分拡大図である。
【００４５】
キャップ(23)を回動させて、キャップ(23)と後部筒軸(34)における両者の芯挿入用開口(39)(35)が整合しない、図９に示すような位置に切り換えた場合には、図１１に示すように、キャップ(23)の嵌合部(41)における突出部(41a)の端部に内方向きに突出して設けられた係止突起(44)が、後部筒軸(34)の嵌合部(36)における縮径部(36a)の端部に設けられた凹部(45)に係止して、後部筒軸(34)に対するキャップ(23)の回動が規制される。
そのため、キャップ(23)が回動して、キャップ(23)と後部筒軸(34)の両者の芯挿入用開口(39)(35)が整合して芯が外部に飛び出すことを防止することができる。
【００４６】
キャップ(23)を回動させて、キャップ(23)と後部筒軸(34)における両者の芯挿入用開口(39)(35)が整合しない、図８に示すような位置に切り換えた場合には、前記係止突起(44)は、図１０に示すように、後部筒軸(34)の嵌合部(36)における縮径部(36a)の外側面に押圧されて外方に向けて弾性変形した状態にある。
【００４７】
そのためキャップ(23)を回動させて、係止突起(44)の位置を、後部筒軸(34)の嵌合部(36)における縮径部(36a)の凹部(45)に整合させると、前記係止突起(44)の遊端は、内方に付勢された状態にあるため、瞬時に前記凹部(45)に係合して、キャップ(23)の回動が規制される。
【００４８】
なお、第２実施形態においては、本体筒軸(22)における後部筒軸(34)にキャップ(23)を外嵌させ、キャップ(23)と後部筒軸(34)の両者にそれぞれ設けた芯挿入用開口(39)(35)の位置を整合あるいは非整合とするようにしたが、その他の実施形態として、キャップ(23)に芯挿入用開口(39)を設けることなく、芯を補充する際には、キャップ(23)を取り外すようにしてもよい。また、キャップ(23)を用いず、本体筒軸(22)における芯挿入用開口(35)に、開閉可能な蓋部、たとえば前後方向にスライドする蓋部を設けて、この蓋部をスライドさせて、芯を補充するようにしてもよい。
【図面の簡単な説明】
【００４９】
【図１】本発明の第１実施形態のシャープペンシルの斜視図である。
【図２】図１に示すシャープペンシルの要部を拡大して示す分解斜視図である。
【図３】蓋部を開けて芯を補充する状態を示す要部拡大斜視図である。
【図４】図３に示すシャープペンシルの要部縦断面図である。
【図５】蓋部を閉じた状態を示す要部拡大斜視図である。
【図６】本発明の第２実施形態のシャープペンシルの要部分解斜視図である。
【図７】図６に示すシャープペンシルを組立てた場合の要部拡大縦断面図である。
【図８】図７におけるVIII〜VIII線拡大断面図であり、芯挿入部を開口した状態を示す。
【図９】芯挿入部を閉塞した状態を示す図８に相当する図である。
【図１０】図８における一点鎖線円Ａ内の部分拡大図である。
【図１１】図９における一点鎖線円Ｂ内の部分拡大図である。
【符号の説明】
【００５０】
(１)シャープペンシル
(２)軸本体
(３)外側面
(４)芯挿入部
(５)芯タンク
(5a)芯挿入用開口
(６)後端
(７)小径筒部
(7a)前端
(８)後端開口
(９)消しゴム
(10)消しゴムホルダー
(11)消しゴムキャップ
(12)芯挿入用開口
(13)蓋部
(13a)取手
(13b)通孔
(13c)取付板
(14)支軸支持板
(14a)通孔
(15)支軸
(16)クリップ
(16a)後端下面
(16b)前端下面
(17)取付板
(17a)通孔
(18)コイルばね
(19)芯
(20)シャープペンシル
(21)軸本体
(22)本体筒軸
(23)キャップ
(24)芯タンク
(25)後端
(26)(27)後端開口
(28)小径筒部
(29)消しゴム
(30)消しゴムホルダー
(31)消しゴムキャップ
(32)(33)段部
(34)後部筒軸
(35)芯挿入用開口
(36)嵌合部
(36a)縮径部
(37)段部
(38)クリップ
(39)芯挿入用開口
(40)前端開口
(41)嵌合部
(41a)突出部
(42)段部
(43)芯挿入用開口
(44)係止突起
(45)凹部
【図１】
2005231148.tif 000003
【図２】
2005231148.tif 000004
【図３】
2005231148.tif 000005
【図４】
2005231148.tif 000006
【図５】
2005231148.tif 000007
【図６】
2005231148.tif 000008
【図７】
2005231148.tif 000009
【図８】
2005231148.tif 000010
【図９】
2005231148.tif 000011
【図１０】
2005231148.tif 000012
【図１１】
2005231148.tif 000013